(57)【要約】  【課題】  本発明の目的は、電気接続箱内の水分を外部に排水できるとともに、外部から電気接続箱内へ水分や泥等が侵入するのをより確実に防止できる電気接続箱の排水構造を提供することにある。  【解決手段】  本発明の電気接続箱の排水構造は、電気接続箱１の底壁２に設けられ基端部が下方にいくほど縮形する略漏斗状部１３からなり、略漏斗状部１３に続く下端部が略漏斗状部１３の最下端の内形と同形の内形を有する筒状部１４からなる排水口１５と、排水口１５の略漏斗状部１３に設置される反射部材１６とからなる電気接続箱の排水構造であって、反射部材１６は下方に開口し下方に向かって拡形するすり鉢状凹部１７と排水口１５の略漏斗状部１３に固定される固定鍔部１８とを有し、固定鍔部１８には電気接続箱１内の水分が電気接続箱１の外部に流出可能な流出部１９が設けられている。  【選択図】  図１
2006067709.tif 000002
【特許請求の範囲】
【請求項１】
電気接続箱の底壁に設けられ基端部が下方にいくほど縮形する略漏斗状部からなり該略漏斗状部に続く下端部が前記略漏斗状部の最下端の内形と同形の内形を有する筒状部からなる排水口と、該排水口の前記略漏斗状部に設置される反射部材とを有する電気接続箱の排水構造であって、前記反射部材は下方に開口し下方に向かって拡形するすり鉢状凹部と前記排水口の略漏斗状部に固定される固定鍔部とを有し、該固定鍔部には前記電気接続箱内の水分が電気接続箱の外部に流出可能な流出部が設けられていることを特徴とする電気接続箱の排水構造。
【請求項２】
前記排水口の筒状部の基端部内縁と下端部内縁とを対角線状に結ぶすべての直線の延長線が前記反射部材のすり鉢状凹部内面のいずれかの位置にぶつかることを特徴とする請求項１記載の電気接続箱の排水構造。
【発明の詳細な説明】
【技術分野】
【０００１】
本発明は、自動車等の車両に搭載される電気接続箱の排水構造の改良に関するものである。
【背景技術】
【０００２】
例えば自動車用の電気接続箱においては、自動車が走行中に路面から跳ね上がった水分や泥がこの電気接続箱に侵入すると、電気接続箱内の電気機器類が被水し、ショートしたり、腐食が進行する、という問題がある。
そこで従来から、電気接続箱の内部の水分を外部に排水できるようにすると共に、外部から水分が電気接続箱内に入らないように種々の工夫がなされてきた。
その一例として、例えば特許文献１には図４〜図６が示すような排水構造が開示されている。
特許文献１が開示する排水構造においては、図４、図５が示すように、電気接続箱１の底壁２に設けた排水口３に、板部５と、この板部５の中央に立設した支柱６と、支柱６の先端から板部５の近傍まで延びる弾性変形可能な２つの羽根部７、７とを有するクランプ４が、両羽根部７、７を排水口３から電気接続箱１内に差し込まれて、組み付けられている。
【０００３】
また両羽根部７、７の各先端部には排水口３の内周面に摺動自在に嵌合するガイド面８と、クランプ４が自重で下降した位置で排水口３の内側縁に当接する段差部９とが設けられている。
そしてクランプ４が下降した位置では、図４が示すように底壁２の外面と板部５の間に、電気接続箱１の内部から水分が外部に逃げ出せるように隙間１０が形成されるとともに、板部５に上向きの外力が作用したときには、図６が示すように各羽根部７、７のガイド面８が排水口３の内周面に嵌合した状態で、板部５が底壁２の外面に密着し、外部から水分等が電気接続箱１内に侵入しないようになっている。
【０００４】
このようにしてなる特許文献１に記載の電気接続箱１の排水構造によれば、排水口３の下側に凹部がないため、板部５に泥が掛かっても排水口３が詰まったりしない、という効果が期待できる、と述べている。
【０００５】
【特許文献１】特開２００１−９５１２９号公報
【発明の開示】
【発明が解決しようとする課題】
【０００６】
しかしながら図４〜図６が示す電気接続箱の排水構造では、実際には板部５の上面、すなわち電気接続箱１の底壁２の外面と接触する面に泥が侵入したり、埃等が滞留するので、板部５に上向きの外力が作用した際、図６が示すようには板部５が底壁２の外面に密着することができずに、両者の間に隙間ができ、外部から水分等が電気接続箱１内に侵入するのを完全に防止することができない、という問題がある。
【０００７】
上記問題に鑑み本発明の目的は、電気接続箱内の水分を外部に排水できるとともに、外部から電気接続箱内へ水分や泥等が侵入するのをより確実に防止できる電気接続箱の排水構造を提供することにある。
【課題を解決するための手段】
【０００８】
前記目的を達成すべく本発明の請求項１記載の電気接続箱の排水構造は、電気接続箱の底壁に設けられ基端部が下方にいくほど縮形する略漏斗状部からなり該略漏斗状部に続く下端部が前記略漏斗状部の最下端の内形と同形の内形を有する筒状部からなる排水口と、該排水口の前記略漏斗状部に設置される反射部材とを有する電気接続箱の排水構造であって、前記反射部材は下方に開口し下方に向かって拡形するすり鉢状凹部と前記排水口の略漏斗状部に固定される固定鍔部とを有し、該固定鍔部には前記電気接続箱内の水分が電気接続箱の外部に流出可能な流出部が設けられていることを特徴とするものである。
【０００９】
このようにしてなる請求項１記載の電気接続箱の排水構造によれば、電気接続箱内の水分は反射部材の固定鍔部に設けられている流出部から確実に外部に排水でき、しかも電気接続箱の外部から侵入しようとする水分や泥等は、この反射部材の下部に設けられているすり鉢状凹部によりその侵入路を絶たれ、容易には電気接続箱内に侵入することができない。
【００１０】
また本発明の請求項２記載の電気接続箱の排水構造は、請求項１記載の電気接続箱の排水構造において、前記排水口の筒状部の基端部内縁と下端部内縁とを対角線状に結ぶすべての直線の延長線が前記反射部材のすり鉢状凹部内面のいずれかの位置にぶつかることを特徴とするものである。
【００１１】
このようにしてなる請求項２記載の電気接続箱の排水構造によれば、排水口の下端部の筒状部にあっては、この筒状部の基端部内縁と下端部内縁とを対角線状に結ぶすべての直線の延長線が前記反射部材のすり鉢状凹部内面のいずれかの位置にぶつかるように形成されているため、自動車走行中に路面から飛び跳ねて、電気接続箱内に侵入しようとする水分や泥等は確実に反射部材の下部に設けられているすり鉢状凹部内面に衝突し、遮られて、反射部材に設けられている固定鍔部と排水口との間に形成されている水分の通り道である流出部に侵入し難くなる。よって、より確実に外部からこの排水口を通じて電気接続箱内に水分が侵入するのを防止することができる。
【発明の効果】
【００１２】
以上のように本発明によれば、電気接続箱内の水分を外部に排水できるとともに、外部から電気接続箱内へ水分や泥等が侵入するのをより確実に防止できる電気接続箱の排水構造を提供することができる。
【発明を実施するための最良の形態】
【００１３】
以下に本発明の電気接続箱の排水構造を図１〜図３を用いて詳細に説明する。
図１は本発明の電気接続箱の排水構造の一実施例を示す縦断面図、図２は図１における反射部材をよりわかり易く説明するために、上下を逆さにした状態を示す斜視図、図３は本発明の電気接続箱の排水構造の作用を説明するための縦断面図である。
【００１４】
図１が示すように本発明の電気接続箱の排水構造においては、電気接続箱１の底壁２に、基端部が下方にいくほど縮形する略漏斗状部１３と、この略漏斗状部１３に続く下端部が前記略漏斗状部１３の最下端の内形と同形の内形を有する筒状部１４とからなる排水口１５が設けられていて、さらに排水口１５の略漏斗状部１３には反射部材１６が設置されている。
ここで、略漏斗状部１３の最下端の内形と同形の内形を有するとは、略漏斗状部１３の最下端の内形とその形及び寸法がほぼ等しい内形を有する、ことを意味する。
【００１５】
そして前記反射部材１６は、下方に開口し、下方に向かって拡形するすり鉢状凹部１７と排水口１５の略漏斗状部１３に固定される固定鍔部１８とを有している。尚、この固定鍔部１８には電気接続箱１内の水分が電気接続箱１の外部に流出可能な流出部１９が設けられている。
因みに、この実施例においては、図２が示すように固定鍔部１８はその周方向に分離された３つの鍔部からなっていて、各鍔部の間の隙間が電気接続箱１内の水分を電気接続箱１の外部に流出させるための流出部１９になっている。
ところでこの流出部１９としては、例えば円形状の固定鍔部１８の周方向に適宜間隔で電気接続箱１の内部から外部に連通する貫通孔を設け、これを流出部１９とすることもできる。いずれにせよ、流出部１９としては電気接続箱１の内部と外部とを繋ぎ、水分を電気接続箱１の内部から外部に逃がすことができるものであればその形状に拘るものではない。
【００１６】
このように図１、図２が示す電気接続箱１の排水構造において、さらに図３が示すように、排水口１５の筒状部１４の基端部内縁の任意の位置１４ａと下端部内縁の任意の位置１４ｂとを対角線状に結ぶすべての直線の延長線Ａが、反射部材１６のすり鉢状凹部１７の内面のいずれかの位置にぶつかるように筒状部１４の長さや断面の大きさを決め、形成しておくと、自動車が走行中に路面から跳ね上がって筒状部１４の最下端から直線状に侵入した水分や泥は、延長線Ａの先端が示すように確実にすり鉢状凹部１７の内面にぶつかってはねかえされ、あるいはすり鉢状凹部１７の内面に付着して、その後落下し、流出部１９の隙間から電気接続箱１の内部に侵入するのは極めて困難になる。
【００１７】
換言すると、水分や泥が筒状部１４内を下方から上方に向けて、最も斜めに直進した場合でも、必ず反射部材１６のすり鉢状凹部１７の内面のいずれかの位置にぶつかる、ということは、これより小さい角度、すなわち垂直に近い角度で跳ね上がった水分や泥は、当然反射部材１６のすり鉢状凹部１７の内面にぶつかって跳ね返されることになる。
このように本発明の電気接続箱の排水構造によれば、外部から排水口１５から電気接続箱１内に水分や泥が侵入するのを、より確実に防止することができる。
【００１８】
また侵入した泥が、仮に反射部材１５の略漏斗状部１３の内面に付着したままになったとしても、本発明の電気接続箱の排水構造の場合には、可動部分がないため、略漏斗状部１３に付着した泥が、筒状部１４の下端部から侵入してくる水分や泥が電気接続箱１内に侵入するのを助けることもない。
よって経時的に、外部から筒状部１４を介して、水分や泥が電気接続箱１の内部に侵入し易くなる、ということもなく、長期間にわたって安定して、外部から電気接続箱１の内部への水分や泥等の侵入を確実に防止できる。
【００１９】
ところで図１に示す排水口１５においては、略漏斗状部１３の途中に段差２０を設け、この段差２０に反射部材１６の固定鍔部１８を固定しているが、略漏斗状部１３の傾斜に沿うように固定鍔部１８の端部２１に傾斜を設け、固定鍔部１８を排水口１５の略漏斗状部１３にテーパー嵌合させて固定してもよい。
因みに、本発明において固定鍔部１８を排水口１５の略漏斗状部１３に固定するという意味は、固定鍔部１８を排水口１５の略漏斗状部１３に、例えば超音波溶接や接着剤あるいはかしめ等で接合して固定する意味と、前述したように略漏斗状部１３の傾斜に沿うように固定鍔部１８の端部２１に傾斜を設け、固定鍔部１８を排水口１５の略漏斗状部１３に接合することなくしまり嵌めになるようにテーパー嵌合させる場合も含むものとする。要は反射部材１６が排水口１５の略漏斗状部１３内で振動等で飛び跳ねることがなければよい。
【００２０】
また排水口１５の略漏斗状部１３や筒状部１４の断面形状は一般的には円形であるが、本発明にあっては、円形に限らず他の形状、例えば断面正方形であってもよい。基本的には略漏斗状部１３の最下端の断面形状と筒状部１４の断面形状を合わせておけば、水分が外部に流れ易く好ましい。
【００２１】
以上述べたように本発明によれば、電気接続箱内の水分を外部に排水できるとともに、外部から電気接続箱内へ水分や泥等が侵入するのをより確実に防止できる電気接続箱の排水構造を提供することができる。
【図面の簡単な説明】
【００２２】
【図１】本発明の電気接続箱の排水構造の一実施例を示す縦断面図である。
【図２】図１に示す本発明の電気接続箱の排水構造に用いる反射部材を、上下逆さにした状態を示す斜視図である。
【図３】本発明の電気接続箱の排水構造の作用を説明するための縦断面図である。
【図４】従来の電気接続箱の排水構造の一例を示す縦断面図である。
【図５】図４に示す電気接続箱の排水構造において使用されるクランプの斜視図である。
【図６】図４に示す従来の電気接続箱の排水構造の動作を示す縦断面図である。
【符号の説明】
【００２３】
１  電気接続箱
２  底壁
１３  略漏斗状部
１４  筒状部
１５  排水口
１６  反射部材
１７  すり鉢状凹部
１８  固定鍔部
１９  流出部
【図１】
2006067709.tif 000003
【図２】
2006067709.tif 000004
【図３】
2006067709.tif 000005
【図４】
2006067709.tif 000006
【図５】
2006067709.tif 000007
【図６】
2006067709.tif 000008